(57)【要約】呼吸圧力を検出するシステムには、呼吸回路や鼻カニューレなどの呼吸コンジットにより保持されるかこれに近接するよう構成された携帯用圧力トランスデューサ（５０）がある。携帯用圧力トランスデューサ（５０）は、気道アダプタの形状であり呼吸コンジットに沿って配置されたニューモタコ（２０）に取り外し可能に連結され得る。ニューモタコには障害物の両側に配置された２つの圧力ポート（２４、３４）がある場合があり、上記障害物はニューモタコ（２０）の一次コンジットを通る流量を部分的に遮る。携帯用圧力トランスデューサ（５０）の対応するサンプルコンジット（５５、５６）が圧力ポート（２４、３４）に取り外し可能に連結されている。圧力ポート（２４、３４）には密封要素があり、上記密封要素は上記密封要素を通る突き刺し部材の導入時にサンプルコンジット（５５、５６）の突き刺し部材を密封するよう構成されている。突き刺し部材の除去時には、密封要素は実質的に際密封する。上記システムを用いる方法も開示される。
2004532077.tif 000002
【特許請求の範囲】
【請求項１】
気道アダプタであって、
呼吸コンジットのそれぞれの部分に連結するよう構成された第１の端および第２の端と、
前記第１の端と第２の端との間のニューモタコとを備え、上記ニューモタコは、
前記呼吸コンジットの通路に沿って配置された一次コンジットと、
前記一次コンジットを通るガスの流量を部分的に遮るよう配置された障害物と、
前記障害物の少なくとも一部を間において配置された少なくとも２つの圧力ポートとを有し、前記少なくとも２つの圧力ポートは、携帯用圧力トランスデューサの対応する特徴を取り外し可能に受けるよう構成されていることを特徴とする気道アダプタ。
【請求項２】
前記ニューモタコが前記少なくとも２つの圧力ポートの開口の全体に渡る密封要素を有する請求項１の気道アダプタ。
【請求項３】
前記密封要素が前記携帯用圧力トランスデューサの突き刺し部材の外面を受けるよう且つ上記外面に対して密封するよう構成されている請求項２の気道アダプタ。
【請求項４】
前記密封要素が前記密封要素からの前記突き刺し部材の除去時に実質的に再密封するよう更に構成されている請求項３の気道アダプタ。
【請求項５】
前記密封要素の各々が柔らかい弾力のあるエラストマ材料からなる請求項２の気道アダプタ。
【請求項６】
前記柔らかい弾力のあるエラストマ材料がラテックスとシリコーンのうち少なくとも１種からなる請求項５の気道アダプタ。
【請求項７】
前記少なくとも２つの圧力ポートの各圧力ポートが中空の突き刺し部材を有する請求項１の気道アダプタ。
【請求項８】
前記少なくとも２つの圧力ポートの各圧力ポートが前記携帯用圧力トランスデューサの前記対応する特徴と結合するように噛み合うべく構成される請求項１の気道アダプタ。
【請求項９】
少なくとも１つの材料検出素子を更に有する請求項１の気道アダプタ。
【請求項１０】
前記少なくとも１つの材料検出素子が赤外線型検出素子からなる請求項９の気道アダプタ。
【請求項１１】
前記赤外線型検出素子が前記一次コンジットの両側に配置された一対の窓を有する請求項１０の気道アダプタ。
【請求項１２】
前記少なくとも１つの材料検出素子がルミネセンス消光型検出素子からなる請求項９の気道アダプタ。
【請求項１３】
前記ルミネセンス消光型検出が少なくとも１つの窓および前記少なくとも１つの窓を通じ晒されるルミネセンス可能材料を有する請求項１２の気道アダプタ。
【請求項１４】
請求項９の気道アダプタであって、
相補的に構成されたトランスデューサと気道アダプタとの連結時に、上記トランスデューサを相対的に確実に適切な向きにする為の密封要素を更に有する気道アダプタ。
【請求項１５】
圧力検出システムのトランスデューサであって、
呼吸コンジット上に保持されるよう構成されたハウジングと、
前記ハウジング内部に少なくとも部分的にあり、前記呼吸コンジットと連絡するよう構成された少なくとも１つのサンプルコンジットと、
前記ハウジング内部にあり、前記少なくとも１つのサンプルコンジットと流量連絡している少なくとも１つの圧力センサとを有することを特徴とするトランスデューサ。
【請求項１６】
上記少なくとも１つのサンプルコンジットが、上記呼吸コンジットに沿って配置された気道アダプタの対応する特徴に取り外し可能に連結されるよう構成されている少なくとも２つのサンプルコンジットを有する請求項１５のトランスデューサ。
【請求項１７】
前記少なくとも１つの圧力センサが前記少なくとも２つのサンプルコンジットの各々と連絡する請求項１６のトランスデューサ。
【請求項１８】
前記少なくとも１つの圧力センサが差圧センサからなる請求項１７のトランスデューサ。
【請求項１９】
前記少なくとも２つのサンプルコンジットの各々が、前記気道アダプタの対応する特徴を突き刺す突き刺し部材を有する請求項１６のトランスデューサ。
【請求項２０】
前記少なくとも２つのサンプルコンジットの各々が、前記気道アダプタの対応する特徴に結合するように噛み合うべく構成された連結端を有する請求項１６のトランスデューサ。
【請求項２１】
前記少なくとも２つのサンプルコンジットの各々が、前記気道アダプタの対応する特徴により突き刺され前記特徴を密封するよう構成された連結端を有する請求項１６のトランスデューサ。
【請求項２２】
前記ハウジングの外部の環境と連絡しているゲージ圧力センサを更に有する請求項１５のトランスデューサ。
【請求項２３】
前記基線圧力センサが差圧センサからなる請求項２２のトランスデューサ。
【請求項２４】
呼吸圧力検出システムであり、
呼吸コンジットに沿って配置されるよう構成された請求項１乃至１４のいずれかの気道アダプタと、
前記ニューモタコと取り外し可能に連結するよう構成された請求項１５乃至２３のいずれかの圧力トランスデューサとを有するシステム。
【請求項２５】
少なくとも個人の呼吸の圧力をモニタする方法において、
上記個人の気道と連絡する為に構成された呼吸コンジットに沿ったニューモタコを有する気道アダプタを配置する工程と、
圧力トランスデューサを少なくとも前記ニューモタコと実質的に直接組み立てる工程とを有することを特徴とする方法。
【請求項２６】
前記組み立てる工程が、前記圧力トランスデューサのサンプルコンジットの連結端と前記ニューモタコの対応する圧力ポートとを並べその間の連絡を一時的に確立する工程を有する請求項２５の方法。
【請求項２７】
前記一時的に確立する工程が、前記対応する圧力ポートに関連する密封要素を通じ前記連結端を導入する工程を有する請求項２６の方法。
【請求項２８】
前記一時的に確立する工程が、前記対応する圧力ポートにより前記連結端に関連する密封要素に穴を開ける工程を有する請求項２６の方法。
【請求項２９】
前記一時的に確立する工程が、前記連結端と前記対応する圧力ポートとを結合するように噛み合わせる工程を有する請求項２６の方法。
【請求項３０】
前記一時的に確立する工程が、およそ２００００Ｐａ（１５０ｍｍＨｇ）までの圧力に耐える連絡を確立する工程を有する請求項２６の方法。
【請求項３１】
請求項２５の方法であって、
呼吸サンプルの圧力を決定する為に上記呼吸サンプルを評価する工程を更に有する方法。
【請求項３２】
前記評価する工程が圧力差を評価する工程を有する請求項３１の方法。
【請求項３３】
請求項３１の方法であって、
基線圧力を確立する工程を更に有する方法。
【請求項３４】
請求項３１の方法であって、
前記圧力を示す信号を前記圧力トランスデューサからモニタへと送信する工程を更に有する方法。
【請求項３５】
請求項３４の方法であって、
呼吸圧力パラメータと、呼吸流量パラメータと、呼吸気量パラメータと、血液ガスパラメータと、血流量パラメータのうち、少なくとも１つを計算する工程を更に有する方法。
【請求項３６】
請求項２５の方法であって、
前記圧力トランスデューサを前記ニューモタコから取り外す工程を更に有する方法。
【発明の詳細な説明】
【技術分野】
【０００１】
優先権の主張
米国特許法§１１９（ｅ）の規定により、本願は２００１年５月７日提出の米国仮出願６０／２８９，５４０号の利益を請求する。
【０００２】
本発明は一般に呼吸圧力や呼吸流量を測定する装置に関し、具体的には呼吸圧力トランスデューサに関する。特に、本発明は、個人の気道と連絡するよう構成された呼吸コンジットに隣接して配置される圧力トランスデューサに関する。
【背景技術】
【０００３】
集中治療の状況における麻酔適用中の呼吸流量測定、また訓練プログラムやその他の医療検査の前や過程中にアスリートやその他の個人の体調をモニタリングする際の呼吸流量測定は、心肺の機能および呼吸回路完全性の評価に有用な情報を提供する。上記状況の厳しい要求に答えようとする流量計を作成する為に多くの様々な技術が利用されてきた。
【０００４】
様々な異なるタイプの圧力測定装置が既知であるが、従来、呼吸流量測定値を得るには差圧流量計が利用されてきた。気道内圧や流速や呼吸の体積などの呼吸力学のパラメータのモニタリングにより、放出された（即ち、吸い込まれた）体積および吐き出された体積を測定する為に圧力のモニタリングが典型的に実施されていると、臨床家は呼吸補助を要する患者への保健医療をより適切に提供できる。更に、圧力のモニタリングは、他の呼吸パラメータ、例えば酸素消費量、二酸化炭素除去量、また心拍出量や肺毛細管血流量さえも評価する呼吸ガス測定と共に利用される。
【０００５】
差圧流量計はベルヌーイの法則に基づいて作動し、絞り全体に渡る圧力低下は容積測定の空気の流速に比例している。流量と流量への絞りまたは他の抵抗の全体に渡る圧力低下との関係は該抵抗の設計に依存する。一般に「ニューモタコ（ｐｎｅｕｍｏｔａｃｈ）」と呼ばれる差圧流量計の中には、流量と圧力差との間に線形の関係を作るよう流量絞りが設計されているものもある。上記の設計には、層流を確保し流量に対しより線形な応答を徹底するよう絞りが多数の細い管や微細なスクリーンから成るフライッシュ型ニューモタコ（Ｆｌｅｉｓｃｈ  ｐｎｅｕｍｏｔａｃｈ）がある。その他の物理的な構造は、流量に対して変化するオリフィスを有する流量絞りである。上記の設計には、可変オリフィスや固定オリフィスやベンチュリ形流量計がある。可変オリフィス差圧流量センサの代表的な特許には、１９９１年２月１９日にＧｕｉｌｌａｕｍｅ他に発行された米国特許４，９９３，２６９号や、１９９１年８月１３日にＳｔｕｐｅｃｋｙに発行された米国特許５，０３８，６２１号や、１９９８年６月９日にＫｕｌｌｉｋに発行された米国特許５，７６３，７９２号や、１９９９年１０月２６日にＣｉｏｂａｎｕに発行された米国特許５，９７０，８０１号がある。固定オリフィス差圧流量センサの代表的な特許は、１９９５年１月１０日にＫｏｆｏｅｄ他に発行された米国特許５，３７９，６５０号や、１９９９年７月２０日にＳｔｏｒｓｖｅｄに発行された米国特許５，９２５，８３１号や、２００１年３月２０日にＨｉｌｇｅｎｄｏｒｆに発行された米国特許 ６，２０３，５０２号がある。
【０００６】
多くの既知の差圧流量センサは、理想的とはいえない気体と流量の吸込状態に置かれた場合に難があり、更に、実質的に動的な流量範囲に渡り、意味のある、正確な、反復可能な方法で差圧を検出する能力に関する固有の設計上の問題もある。上記のことが特に当てはまるのは、流量センサが乳児の呼吸流速などの低い流速を確実かつ正確に測定する必要がある場合である。患者の気道の近位で測定された流量は人工呼吸器内部すなわち人工呼吸器で測定された流量とは実質的に異なるおそれがある。多くの人工呼吸器は、近位の気道ではなく、人工呼吸器の近くで流量を測定する。この方法での流量の測定は、患者により放出されたり吐き出されたりした気体の流量や圧力や体積と、人工呼吸器に関連する圧力センサや流量センサにより報告された気体の流量や圧力や体積との間に、実質的な差異をもたらす。上記の差異の少なくとも一部の理由は、膨張し患者の気道と圧力センサや流量センサとの間に配置された呼吸コンジットの長さを伸ばす無駄な圧縮体積、および、患者の気道と圧力センサや流量センサとの間の呼吸コンジットの長さに起因する加湿や減湿である。呼吸コンジットのコンプライアンスが既知の値である場合、幾つかの人工呼吸器メーカでは無駄な圧縮体積の補正が適用される。補正を適用しても、個人の呼吸コンジットや、加湿器の利用や、熱‐湿度交換器の利用や、他の回路素子の相違の為、圧縮体積の無駄な吸入された部分の精密な推定は困難である。典型的な呼吸コンジット内では、気体の状態（例えば、温度、圧力、湿度など）は、モニタされている個人の気道からの気体の距離に依存して大幅に変化する。個人に最も近い気体の状態が個人の気道内の対応する状態を最も反映しそうなので、救命医療の状況での患者の吸息流量と呼息流量のモニタリングの好ましい位置は近位（即ち、できるだけ個人の気道の近く）である。
【０００７】
作動流量計の臨床での日常的な利用は、１９９５年１月１０日にＫｏｆｏｅｄ他に発行された米国特許５，３７９，６５０号（以下「‘６５０特許」）に開示されたようなより頑強な設計の開発に伴い、ここ数年の間に著しく増加している。‘６５０特許に記載の作動流量計は、先行の差圧流量センサが利用された場合にかねてより直面していた問題の大部分を克服したもので、正反対向きの縦方向に伸びた支柱を含む管状ハウジングを有する。‘６５０特許に記載の流量センサの支柱には、縦方向に間隔を空けた圧力ポートを備える第１の内腔と第２の内腔とがあり、上記圧力ポートは、それぞれ軸方向に配置され支柱の各端に形成されたノッチに通じている。
【０００８】
差圧流量計の性能のこのような改善にもかかわらず、差圧流量計は、呼吸コンジットに沿って配置されたニューモタコと、一般に遠く離れて配置されている圧力モニタと、該ニューモタコと該圧力モニタとを互いに動作可能に接続する管状材料とを内蔵したままである。上記管状材料はニューモタコの各ポートの圧力をモニタに内蔵された１つ以上の圧力センサへと伝達する。一般に、ニューモタコと圧力モニタとを互いに接続するために使用されるのは、柔軟で口径の小さい二重または三重の内腔管の幾つかの足である。
【０００９】
しかし上記の口径の小さい管状材料を利用するのは、ニューモタコから伝達される圧力サンプルが管状材料を通って移動する際に減衰し歪む恐れがあるという観点からは幾分望ましくない。従って、多くの場合に、気道内圧を確実に正確に測定する為に、よってモニタされている患者に一般に起こるような状況で許容できるレベルの臨床の性能（即ち、低い換気コンプライアンス）を供給する為に、センサを保護しモニタの内部の空気圧の平衡を個々に保つ必要がある。
【００１０】
更に、高湿度が標準のことが多い救命医療や集中治療など臨床の環境で管状材料を持つ流量センサを利用すると、圧力伝達管または呼吸コンジットのどの部分が加熱されているにせよ、圧力伝達管での湿度の凝縮が引き起こされる。凝縮の１つの理由は、圧力伝達管の下方へと伝わる呼吸サンプル即ち圧力「信号」の減衰と歪みである。一般に、圧力伝達管では、凝縮物の圧力や流量の測定への悪影響を抑える為に、圧縮ガス源やポンプから空気が周期的に取り除かれるが、このことは健康管理要員の余計な仕事を増やし、従って幾分望ましくない習慣である。更に、管状材料をモニタから偶然或いは意図的に切断することにより、圧力伝達管への流量に凝縮物や痰までもが生じる恐れがあり、場合によってはモニタが汚染される 。
【００１１】
更に、従来の差圧流量センサの非常に長い管状材料は使用後一般に処分される為、かなりの量のプラスチック廃棄物が生じることになる。従って、上記の管状材料は差圧流量センサの使い捨ての要素として使用されるので費用が掛かる。
【００１２】
圧力伝達管の再利用も、圧力トランスデューサの汚染の可能性、またそれにより臨床の環境にもたらされる潜在的な（たとえ重大でなくとも）抜管の危険の為、メーカの推薦とは一般に逆である。それにも関わらず、上記管状材料は多くの場合に再利用され、特に米国以外では経費削減の方策として再利用されている。
【発明の開示】
【発明が解決しようとする課題】
【００１３】
発明者は、差圧流量センサのニューモタコとモニタとの間に伸びる圧力伝達管の無い差圧流量センサや、個人の気道と連絡する呼吸コンジットの上に保持されるよう構成されたトランスデューサを有する作動流量センサは、意識していなかった。
【課題を解決するための手段】
【００１４】
本発明には、呼吸コンジットの上または近接して配置されるよう構成された携帯用圧力トランスデューサが含まれ、また上記呼吸コンジットは個人の気道と連絡するよう構成されている。本発明には更に、個人の気道と携帯用圧力トランスデューサとの間の連絡を容易にする為に携帯用圧力トランスデューサが連結されるニューモタコも含まれる。携帯用圧力トランスデューサとニューモタコとが相互に組み立てられる際、携帯用圧力トランスデューサとニューモタコとの間に流体を漏らさない密封状態を保ちながら、呼吸ガスサンプルが呼吸コンジットから携帯用圧力トランスデューサへと運ばれる。加えて、本発明には、呼吸の圧力と、流量と、体積と、他の呼吸ガスおよび血液ガスパラメータの測定を行う方法も含まれる。
【００１５】
本発明の教示を組み込んだニューモタコは、いわゆる「気道アダプタ（ａｉｒｗａｙ  ａｄａｐｔｅｒ）」として具体化され、呼吸回路や鼻カニューレなどの、個人の気道と連絡するよう構成された呼吸コンジットを通じ一時通路と一列に並ぶ一次コンジットを有する。一次コンジットに加えて、ニューモタコには２つの圧力ポートがあり、一次コンジットと連絡し、一次コンジットに沿って配置され一次コンジットを部分的に遮る障害物の両側に位置づけられ、また、圧力または流量を検出する装置に一般に関連する他の構成要素もある。圧力ポートは、携帯用圧力トランスデューサとニューモタコとの連結時に携帯用圧力トランスデューサのサンプルコンジットと連絡するよう構成されている。サンプルコンジットが連結する各圧力ポートの位置には再密封材料やいわゆる「自己回復（ｓｅｌｆ−ｈｅａｌｉｎｇ）」材料があり、上記材料は、携帯用圧力トランスデューサのサンプルコンジットを上記圧力ポートに連結する前に圧力ポートを密封し、携帯用圧力トランスデューサのサンプルコンジットをニューモタコの圧力ポートから外す際に再密封する。
【００１６】
ニューモタコには任意に、個人の呼吸の１つ以上のガスや蒸発した物質の量をモニタする為の機能などその他の機能があってもよい。ほんの一例として、ニューモタコは１つ以上の窓を有し、該ニューモタコに連結された赤外線センサやルミネセンス消光型の工学的トランスデューサを持つよう構成されてもよい。
【００１７】
本発明に従う携帯用圧力トランスデューサは、本発明のニューモタコに動作可能に連結するよう構成され、従って、呼吸コンジット上に保持される。全て（一般には２つ）の圧力ポートと該圧力ポートに対応するサンプルコンジットとの間で厳密なアライメントを要さずに流体を漏らさない（例えば気密性の）密封状態の形成および保持を容易にする為に、ニューモタコの圧力ポートまたは携帯用圧力トランスデューサのサンプルコンジットのポートの一方が他方よりも実質的に大きい。上記の方法でニューモタコを構成することにより、製作公差を広くでき、これによりニューモタコのコストが下がり、従って、ニューモタコは一人の患者に利用するのにより適したもの（即ち、使い捨て）となる。更に、ニューモタコおよび携帯用圧力トランスデューサのうち１つを相対的に緩やかな公差を持つよう構成することにより、上記２つの構造を相対的に簡単に組み立て易くなる。ニューモタコの圧力ポートと一列に並ぶサンプルコンジットに加え、携帯用圧力トランスデューサには、該携帯用圧力トランスデューサを通じて個人の呼吸の流量を誘導するバルブがあり、また個人の呼吸圧力を測定する１つ以上の圧力センサもある。
【００１８】
本発明に従うニューモタコおよび携帯用圧力トランスデューサを有する呼吸モニタリングシステムによる呼吸測定は、当該分野で既知の通り、個人の呼吸に関連する様々な圧力や流量のパラメータ、および個人の呼吸の圧力や流量に部分的に基づく他の呼吸特徴パラメータを決定する為に利用されてもよい。従って、本発明のニューモタコおよび携帯用圧力トランスデューサを用いた方法も本発明の範囲内にある。
【００１９】
本発明の他の特徴および利点は、次に続く説明と付随する図面と添付の請求項の考察を通じて当業者には明らかになる。
【発明を実施するための最良の形態】
【００２０】
図１を参照すると、呼吸コンジット１０が図示されている。呼吸コンジット１０には呼吸回路があり、該呼吸回路には、気管内チューブや、鼻カニューレや、個人Ｉの気道Ａと連絡するよう構成されたその他のコンジットがある。図示のように、呼吸コンジット１０の１つの端１２が気道Ａと連絡した状態で配置され、呼吸コンジット１０のもう一方の端１４が、当該分野で既知の通り、大気や、個人Ｉにより吸入される気体源や、人工呼吸器に通じている。長さ方向に配置されて、呼吸コンジット１０には少なくとも１つの気道アダプタ、この場合はニューモタコ２０があり、ニューモタコ２０は１つのタイプの圧力センサの構成要素である。更に図１に示されているのは、ニューモタコ２０と連結され流量連絡した状態の携帯用圧力トランスデューサ５０である。携帯用圧力トランスデューサ５０は次に、当該分野で既知の通り、圧力または流量のモニタ１００などのコンピュータと電気的に連絡する。
【００２１】
ここで図２を参照すると、ニューモタコ２０の様々な特徴が当該分野で既知の通りに、例えば、‘６５０特許に記載された作動流量センサに対応する特徴と同様に構成されている。とりわけ、ニューモタコ２０には、一次コンジット２２と２つの圧力ポート２４と３４があり、上記圧力ポートはアパーチャ２３と３３を通じて一次コンジット２２と流量連絡した状態である。更に、ニューモタコ２０には一次コンジット２０の経路に沿う呼吸の流量または他の気体や混合気体の一部を遮る障害物２１があり、障害物２１は、少なくとも部分的に圧力ポート２４と圧力ポート３４の間に配置され上記圧力ポートの気体流量に圧力差を生む。ニューモタコ２０は、射出成形可能なプラスチックなどの廉価な容易に大量生産可能な材料で形成でき、そのためニューモタコ２０は使い捨ての装置として販売できる。
【００２２】
ニューモタコ２０が‘６５０特許に記載のニューモタコと異なる点は、柔軟なコンジットすなわち圧力伝達管を延長する為に連結されるよう構成される代わりに、評価の為に呼吸サンプルを遠く離れて配置された圧力トランスデューサへと移すことであり、圧力ポート２４と３４は、相補的に構成された圧力トランスデューサ５０（図４および図５）の対応するサンプルコンジット５４と６４（図４および図５）にそれぞれ直接連結されるよう構成される。
【００２３】
一例として、各圧力ポート２４と３４には、その圧力ポート２４と３４の開口２５と３５を覆う密封要素３０と４０がある。本発明の範囲を限定するのではなく一例として、各密封要素３０と４０はラテックスやシリコーンなどの材料から形成された薄膜でもよく、上記密封要素は部材（例えば、針）により突き刺されかつ突き刺し部材の周りでおよそ１５０ｃｍＨ２Ｏまでの圧力で密封を維持する。更に、各密封要素３０と４０の材料は該材料からの突き刺し部材の除去後の再密封を考案されていてもよい。
【００２４】
密封要素３０と４０はニューモタコ２０の各々の圧力ポート２４と３４内にフィルタ２９と３９を保持している場合もある。前述の突き刺し部材を有する相補的に構成された圧力または流量のトランスデューサ（例えば、図４および図５に示す携帯用圧力トランスデューサ５０）がニューモタコ２０に連結される際のフィルタの破壊（例えば、突き刺されたり、破かれたりなど）を避けられる程度に、フィルタ２９と３９は該フィルタ各々の圧力ポート２４と３４の内側に配置されていてよい。フィルタ２９と３９は、圧力または流量のトランスデューサのニューモタコ２０との連結時の当該トランスデューサの汚染（例えば、微粒子や、水分や、微生物などによるもの）を阻止する。圧力または流量のトランスデューサの汚染を阻止することで、フィルタ２９と３９により、利用から次の利用までの間に当該トランスデューサの実質的な洗浄や滅菌を行う必要なく、圧力または流量のトランスデューサの再利用が容易になる。従って、ニューモタコ２０に対し相補的な圧力または流量のトランスデューサは複数の患者に使用できる。フィルタ２９と３９は、圧力ポート２４と３４から相補的な圧力トランスデューサへの圧力波形の正確な伝達を容易にする任意の適切なフィルタ媒体を含みうる。フィルタ２９と３９に適切な媒体には、制限はなく、疎水性や抗菌性のフィルタ材料があり、例えば、当該分野で既知の通り、フェルトや微粒子の形状、または他の形状の一般に呼吸コンジットに利用される材料などである。圧力ポート２４と３４を通るサンプリングされた呼吸ガスの流量をフィルタ２９と３９が実質的に制限しないことが望ましい一方で、十分な差圧信号がニューモタコ２０の圧力ポート２４と３４から相補的に構成された圧力または流量のトランスデューサへと連絡する限りは、気流への多少の抵抗が許容され得る。
【００２５】
密封要素３０と４０は任意の適切な保持手段により該要素に対応する圧力ポート２４と３４にそれぞれ固定される場合がある。ほんの一例として、密封要素３０と４０および圧力ポート２４と３４の両方が形成される材料と互換性のある粘着性の材料が、密封要素３０と４０を該要素に対応する圧力ポート２４と３４に封止するよう固定する為に適切な位置に配置される場合がある。
【００２６】
代案として、図３に図示のように、密封要素３０と４０を該要素に対応する圧力ポート２４と３４に固定する為に、図示されたリング３２と４２などの機械的な保持手段が利用される場合もある。各リング３２と４２は該リングに対応する圧力ポート２４と３４の周辺に（即ち、図示のように、円周に）配置されるよう構成されている。圧力ポート２４と３４の対応する部分の周囲に配置されると、各リング３２と４２と対応する圧力ポート２４と３４の隣接する外面２６と３６との間の隙間が小さいか無い。密封要素３０と４０が圧力ポート２４と３４の該要素の各々の開口２５と３５の上にそれぞれ適切に配置されると、（熱収縮性の材料から形成される場合もある）リング３２と４２または他の機械的な保持手段が、該手段に対応する圧力ポート２４と３４および該ポート上の対応する密封部材３０と４０の外周部３１と４１の周囲に配置される。このようにして、リング３２と４２は各々の密封部材３０と４０の外周部３１と４１を所定の位置に保持する。図示のように、各圧力ポート２４と３４の外面２６と３６には外周溝２８と３８が形成されている場合があり、上記外周溝は、リング３２および４２と圧力ポート２４および３４の外面２６および３６との間に配置された密封部材３０と４０の外周部３１と４１に加え、対応するリング３２と４２の少なくとも一部も受けるよう構成されている。
【００２７】
図４および図５に目を向けると、本発明の教示を組み込んだ携帯用圧力トランスデューサ５０が図示されている。携帯用圧力トランスデューサ５０は、呼吸圧力や流量を検出する相補的に構成された気道アダプタ、例えばニューモタコ２０などに少なくとも一時的に連結されるよう構成されている。
【００２８】
携帯用圧力トランスデューサ５０にはサンプルコンジット５４と６４があり、上記コンジットは互いに横に隣接し間隔を空けて配置されている。サンプルポート５４と６４が互いに隔てている距離も該ポートの相対的な向きも、携帯用圧力トランスデューサ５０とニューモタコ２０とが互いに組み合わされている際には、ニューモタコ２０の対応する圧力ポート２４と３４との連絡を容易にするであろう。図示のように、サンプルポート５４と６４は各々、携帯用圧力トランスデューサ５０のサンプルコンジット５５と６５のそれぞれの連結端５６と６６に形成されている。サンプルコンジット５５と６５の連結端５６と６６は携帯用圧力トランスデューサ５０のハウジング５２の外面５１から突出し、サンプルコンジット５５と６５の内部５８と６８がそれぞれハウジング５２の内側に位置している。
【００２９】
本発明の範囲を一切限定しない図示の例では、サンプルコンジット５５と６５の各連結端５６と６６には、１８、２０、２５ゲージ注射型針などの中空針がある。連結端５６と６６として針が利用される際には、円周が短い（即ち、ゲージが高い）と、針の端が挿入される密封要素３０と４０への損傷が小さくなり、これにより該要素からの連結端５６と６６の針除去後の密封要素３０と４０の回復すなわち再密封がより適切に容易になる。更に、各連結端５６と６６の外径が該連結端に対応する圧力ポート２４と３４の内径より小さければ、連結端５６と６６と該連結端に対応する圧力ポート２４と３４との厳密なアライメントは必要でない。各連結端５６と６６の針は、実質的に漏出させずに差圧トランスデューサ５０が受ける圧力（例えば、およそ２００００Ｐａ（１５０ｍｍＨｇ）までの圧力）に耐えられる程度に、サンプルコンジット５５と６５の対応する内部５８と６８に密閉するよう連結されている。
【００３０】
携帯用圧力トランスデューサ５０のハウジング５２には保護スリーブ５７と６７がある場合があり、上記保護スリーブは該ハウジングから伸びサンプルコンジット５５と６５の連結端５６と６６それぞれの周囲を実質的に該連結端の外部の全長に沿って囲む。保護スリーブ５７と６７は更に、連結端５６と６６の接触を防ぐ為、また針が使用されている場合には、他の構造や、モニタされている個人や、携帯用圧力トランスデューサ５０を用いてまたはその近くで作業する健康管理要員に、該連結端が傷つけたり刺したりしないよう、該スリーブ各々のサンプルコンジット５５と６５のサンプル連結端５６と６６それぞれを超えて伸びる。保護スリーブ５７と６７は更に、サンプルポート５４と６４にそれぞれ対応する圧力ポート２４と３４の少なくとも一部を受けるように構成されている。
【００３１】
サンプルコンジット５５と６５の内部５８と６８は独立して呼吸ガスを携帯用圧力トランスデューサ５０のハウジング５２内に位置する差圧センサ８０へと連絡させる。差圧センサ８０は圧力差を検出し、上記圧力差は、障害物２１の少なくとも一部に渡り、圧力ポート２４と３４および該圧力ポートに対応するサンプルコンジット５５と６５の各々により個人Ｉの気道Ａ（図１）から伝達される。差圧センサ８０がサンプルコンジット５５と６５の両方と連絡しているので、構成要素、例えば、ニューモタコ２０の一次コンジット２２の経路に配置され且つサンプルコンジット５５と６５がそれぞれ連絡する圧力ポート２４と圧力ポート３４との間に配置された障害物２１などに渡る圧力低下の測定が可能になる。携帯用圧力トランスデューサ５０がニューモタコ２０と連結され、次にニューモタコ２０が呼吸コンジット１０（図１）に固定されるよう構成されるので、携帯用圧力トランスデューサ５０の差圧センサ８０は傾斜や振動や移動やこれらの任意の組み合わせの影響を受けない設計であることが望ましい。更に差圧センサ８０は呼吸コンジット内でのコモンモード圧力振動の補償の影響を受けないか補償のできる設計であることが望ましい。本発明の範囲を限定するものではなく一例として、本発明の携帯用圧力トランスデューサ５０の差圧センサ８０はおよそ１０インチＨ２Ｏ（即ち、およそ２５ｃｍＨ２Ｏ）までの圧力差を測定できるタイプであるが、差圧センサ８０はおよそ４インチＨ２Ｏ（即ち、およそ１０ｃｍＨ２Ｏ）までの圧力差を測定するよう構成されてもよい。ほんの一例として、抵抗のブリッジ回路アレイを有し気道内圧と差圧の両方のモニタリングができる二重チップ圧力トランスデューサが、携帯用圧力トランスデューサ５０の差圧センサ８０として使用されてもよい。上記の二重チップ圧力トランスデューサの一例は、カリフォルニア州サンホゼのＡｌｌＳｅｎｓｏｒｓ  Ｃｏｒｐｏｒａｔｉｏｎから販売されているＸＣＸシリーズのトランスデューサである。
【００３２】
差圧センサ８０は、サンプルコンジット５５内の空気や気体の圧力測定値とサンプルコンジット６５内の空気や気体の圧力測定値との差を示す信号と連絡し、上記信号は圧力または流量のモニタ１００のプロセッサ１０２へと当該分野で既知の通り（例えば、コンピュータ通信ケーブルに沿い、赤外線伝送などの無線伝送で）向かう。プロセッサ１０２は、ソフトウェアやファームウェアの形をとる１つ以上のプログラムの制御下では、該プロセッサにより受信した信号に基づいて、呼吸流量の計算に既知の原理とアルゴリズムとを利用する場合がある。差圧センサにより生成され送信された信号を増幅しノイズや他の信号の人為結果を低減したり除去したりする為に、計測増幅器など当該分野で既知のタイプの信号調整電子機器８１が、当該分野で既知の通りに差圧センサ８０と関連付けられてもよい。プロセッサ１０２は更に、やはり既知の処理により、モニタされる個人の呼吸の異なる点や部分の気道内圧を定量化してもよい。
【００３３】
サンプルコンジット５５は更に、携帯用圧力トランスデューサ５０の外部の大気と流量連絡しているゲージ圧力センサまたは周囲圧力センサ９０と連絡する。ゲージ圧力センサ９０は差圧センサ８０に比べモニタされる個人の位置に関して近位に配置されるであろう。図示の例では、携帯用圧力トランスデューサ５０のハウジング５２を通じて伸び大気に通じるコンジット９２を介してゲージ圧力センサ９０は大気と連絡している。ゲージ圧力センサ９０は（例えば、コンジット９２により）大気にも（サンプルコンジット５５および他のコンジットやポートを介して）個人Ｉの気道Ａ（図１）にも通じているので、差圧センサも含み得るゲージ圧力センサ９０は大気圧と気道内圧との差を検出できる。ゲージ圧力センサ９０は傾斜や、振動や、移動や、これらの任意の組み合わせのうち１つ以上の影響を受けないタイプである場合がある。ゲージ圧力センサ９０は呼吸コンジット内でのコモンモード圧力振動の補償の影響を受けないか補償のできる設計であることが望ましい。限定ではなく一例として、ゲージ圧力センサ９０はおよそ１６０００Ｐａ（１２０ｍｍＨｇ）までの圧力差を検出可能な場合がある。ほんの一例として、ＡｌｌＳｅｎｓｏｒｓから発売されている二重チップ差圧センサのＸＣＸシリーズがゲージセンサ９０として利用できる。
【００３４】
ゲージ圧力センサ９０は上記のように圧力測定値を示す信号を生成して該信号をプロセッサ１０２へと伝達し、該プロセッサ１０２は、当該分野で既知の通り、モニタされる個人の呼吸の１つ以上の特定の点や部分の圧力の定量化時も呼吸流量の計算時も大気圧と気道内圧との差を考慮するようプログラムされている。上記信号は計測増幅器などの信号調整電子機器９１により増幅されたり別の場合には変更されたりし、上記信号調整電子機器９１は当該分野で既知の方法でゲージ圧力センサ９０に関係付けられている。
【００３５】
携帯用圧力トランスデューサ５０にはバルブ６０と７０もあり、上記バルブは各サンプルコンジット５５と６５に沿って、該コンジットの連結端５６および６６と、差圧センサ８０またはゲージ圧力センサ９０の少なくとも一方との間（即ち、センサ８０または９０の少なくとも一方の上流）に配置されている。各バルブ６０と７０は該バルブに対応するサンプルコンジット５５と６５を通過する呼吸ガスの流量を制御する（即ち、許可したり制限したりする）。例えば、バルブ６０と７０が共に開放位置にある時は、呼吸ガスは該バルブを通過して流れ、従って、該バルブのそれぞれのサンプルコンジット５５と６５に沿って流れる。逆に、バルブ６０と７０が閉じている時は、呼吸ガスは一切サンプルコンジット５５と６５を通じて流れないように制限される。携帯用圧力トランスデューサ５０に使用される代表的なバルブには、ニューハンプシャー州のホリス（Ｈｏｌｌｉｓ）にあるパーカー・ハネフィン社（Ｐａｒｋｅｒ  Ｈａｎｎｉｆｉｎ  Ｃｏｒｐｏｒａｔｉｏｎ）のニュートロニクス事業部（Ｐｎｅｕｔｒｏｎｉｃｓ  Ｄｉｖｉｓｉｏｎ）によりＸ−ＶＡＬＶＥという商品名で販売されている三方向電磁弁や、カリフォルニア州サンリアンドロのＴｉＮｉ  Ａｌｌｏｙ  Ｃｏｍｐａｎｙ製造のチタン‐ニッケルバルブがある。バルブ６０と７０は、モニタ１００のプロセッサ１０２やモニタ１００に関連する単独のコンピュータ（図示せず）のプロセッサなどの制御装置と連絡するよう構成されている場合があり、上記プロセッサはバルブ６０と７０を駆動するように、従って、サンプルコンジット５５と６５を通る呼吸ガスの流量を制御するようにプログラムされている。上記連絡は無線で（例えば、赤外線信号やその他の既知の適切な波長の電磁放射線により）またはワイヤやケーブルを介して行われる場合がある。
【００３６】
バルブ６０と７０は、大気圧のみの測定を容易にする為に、従ってゲージ圧力センサ９０と差圧センサ８０とがいわゆる「基線（ｂａｓｅｌｉｎｅ）」圧力信号を生成可能なように、閉じている即ち「ゼロ化（ｚｅｒｏｉｎｇ）」位置にある場合がある。従って、基線圧力を周期的に復帰させることにより、差圧センサ８０やゲージ圧力センサ９０が「基線ドリフト（ｂａｓｅｌｉｎｅ  ｄｒｉｆｔ）」の経験を呈示してしまう弱さが全て打ち消される。
【００３７】
代替案として、バルブ６０と７０が共に開放している即ち「測定（ｍｅａｓｕｒｉｎｇ）」位置にある時は、呼吸サンプルはサンプルコンジット５５と６５を通じ差圧センサ８０とゲージ圧力センサ９０へと流れ、それにより気道内圧の測定が容易になる。開放位置にあるバルブ５５と６５を用いて得られた圧力測定値は、差圧センサ８０とゲージ圧力センサ９０の各々により測定された基線圧力を考慮して補正される場合がある。例えば、各センサ８０と９０の基線圧力は該センサ８０と９０により次に得られた圧力測定値から引かれる場合がある。
【００３８】
携帯用圧力トランスデューサ５０には電源設備要素７５があり、上記要素は例えば、バルブ６０と７０と、差圧センサ８０と、ゲージ圧力センサ９０と、携帯用圧力センサ５０の別の電力消費要素とに、電源を供給する遠隔電源や内部電源（例えばバッテリ）との相互接続（例えばワイヤやケーブル）などである。
【００３９】
携帯用圧力トランスデューサ５０のハウジング５２は、トランスデューサ５０の湿度に弱い要素、例えば差圧センサ８０やゲージ圧力センサ９０などを（例えば湿気や流体源などの）湿度の影響から防止するよう構成されている場合がある。加えて、ニューモタコ２０のフィルタ２９と３９は、携帯用圧力トランスデューサの上記湿度に弱い要素に湿度が接触するのを防止する場合がある。ゲージ圧力センサ９０がハウジング５２の外部の環境からの湿気にさらされるのを防ぐ為に、類似のフィルタ９４が同様にコンジット９２に沿って任意に配置される場合がある。
【００４０】
図２〜５に示され且つこれを参照して説明されたニューモタコ２０と携帯用圧力トランスデューサ５０の実施の形態の代案として、ニューモタコの圧力ポートの様々な特徴と携帯用圧力トランスデューサのサンプルコンジットの連結端の様々な特徴とが、図５Ａに示すように逆になる場合がある。示されるように、ニューモタコ２０′には、突き出ている中空の針２７′と３７′を有する圧力ポート２４′と３４′がある場合がある。針２７′と３７′は、相補的に構成された携帯用圧力トランスデューサ５０′の対応するサンプルコンジット５５′と６５′の連結端５６′と６６′にそれぞれ連結されるよう構成されている。特に、密封要素５７′と６７′が配置されている、各針に対応するサンプルコンジット５５′と６５′の連結端５６′と６６′の内径よりも、各針２７′と３７′の外径が相当に小さい場合、各針２７′と３７′は、各針に対応するサンプルコンジット５５′と６５′の連結端５６′と６６′の密封要素５７′と６７′とほぼ一直線に並び一時的に穴を開けるよう構成されている。針２７′と３７′には、円周の短い任意の中空で注射型の針（例えば、１８、２０、２５ゲージ針）や、密封要素５７′と６７′に容易に穴を開けられるチップがある。密封要素５７′と６７′は、該密封要素からの針２７′と３７′の除去時に実質的に再密封を行う際に針２７′と３７′の外面の周りを適切な密封状態を形成する（例えば、およそ２００００Ｐａ（１５０ｍｍＨｇ）までの圧力で維持される密封状態）任意の材料で形成される場合がある。密封要素５７′と６７′に使用される代表的な材料には、制限は無いが、ラテックスの薄膜や、シリコンや、他の相対的に柔らかい弾力のあるエラストマ材料がある。
【００４１】
本発明の教示を組み込んだニューモタコおよび携帯用圧力トランスデューサの両方の更なる代表的な実施の形態では、ニューモタコと携帯用圧力トランスデューサとを相互に組み立てる際に上記装置の対応する要素が互いに結合するように噛み合うべく構成されている。ニューモタコ２０″および携帯用圧力トランスデューサ５０″の上記実施の形態は、図６に図示されているように、対応する特徴の間に、前述の実施の形態で必要とされるよりも厳密な即ち精巧なアライメントを要する。
【００４２】
ニューモタコ２０″がニューモタコ２０（図２、３、５）と異なる点は、ニューモタコ２０″の圧力ポート２４″と３４″に連結端２７″と３７″（図示の例の雌型部材）があることであり、上記連結端２７″と３７″は携帯用圧力トランスデューサ５０″の対応するサンプルコンジット５５″と６５″それぞれの相補的な連結端５６″と６６″（図示の例の雄型部材）に（例えば、締まりばめや相補的なねじ継手（図示せず）により、または別の方法で）結合するように噛み合うべく構成されている。微生物や湿気や他の汚染物質が圧力ポートを通じ携帯用圧力トランスデューサ５０″のサンプルコンジット５５″と６５″へと通過するのを防止する為に、フィルタ２９″と３９″が各圧力ポート２４″と３４″全体に広がっている。サンプルコンジット５５″と６５″にも同様に、携帯用圧力トランスデューサ５０″の他の要素の汚染を防止する為に該コンジット全体に広がるフィルタ５９″と６９″がある。フィルタ２９″、３９″、５９″、６９″には各々、圧力ポート２４″と３４″から対応するサンプルコンジット５５″と６５″それぞれへの圧力の波形の正確な伝達を容易にする任意の適切なフィルタ媒体がある。フィルタ２９″、３９″、５９″、６９″に適した媒体には、限定は無く、疎水性かつ抗菌性のフィルタ材料があり、例えば、当該分野で既知の通り、フェルトや微粒子の形状、または他の形状の一般に呼吸コンジットに利用される材料などである。ニューモタコ２０″と携帯用圧力トランスデューサ５０″の他の特徴は、図２、３、５に関連するニューモタコ２０および図４と図５に関連する携帯用圧力トランスデューサ５０に関して上述した特徴と実質的に同一である。
【００４３】
任意に、本発明の教示を組み込んだ気道アダプタおよび相補的なトランスデューサは複数の診断機能の為に構成される場合もある。ほんの一例として、ニューモタコとして機能することに加え、本発明の気道アダプタには更に材料検出素子があってもよく、上記素子は例えば、共に１９８９年８月２２日にＫｎｏｄｌｅ他に発行された米国特許４，８５９，８５８号および４，８５９，８５９号（以下それぞれ「‘８５８特許」および「‘８５９特許」）や、１９９２年１０月６日にＡｐｐｅｒｓｏｎ他に発行された米国特許５，１５３，４３６号（以下「‘４３６特許」）に記載されたような赤外線センサと、２００１年１２月４日にＬａｂｕｄａ他に発行された米国特許 ６，３２５，９７８号（以下「‘９７８特許」）に記載されたようなルミネセンス消光型のセンサの一方または両方である。相補的なトランスデューサは、もちろん、圧力トランスデューサとして、且つ赤外線検出型トランスデューサとルミネセンスの励起と検出のトランスデューサのうち一方または両方としても働く。
【００４４】
図７は、多機能の気道アダプタ１２０および共に使用される赤外線型センサのトランスデューサ１５０を有するアセンブリの例を概略的に示す。気道アダプタ１２０には図２、３、５を参照して上述されたニューモタコ２０の特徴があり、上記ニューモタコ２０には相補的に構成された携帯用圧力トランスデューサ５０（図４および図５）が固定される。加えて、気道アダプタ１２０には向かい合った一対の窓１２２があり、ここでは上記窓の１つのみが示されているが、上記窓は、窓１２２に或いは一次コンジット２２内の気体や他の材料に吸収されなかった赤外線の検出を容易にするのみならず、気道アダプタ１２０の一次コンジット２２を介する赤外線および上記一次コンジット内の任意の気体や蒸発した物質の伝達を容易にする。気道アダプタ１２０には更に密封要素１２６があり、上記密封要素１２６は、気道アダプタ１２０とトランスデューサ１５０とが相互に組み立てられる際に、相補的に構成されたトランスデューサ１５０が適切に即ち適切な位置に確実に据え付けられるよう構成されている。気道アダプタ１２０に適切に配置されている際には、トランスデューサ１５０は携帯用圧力トランスデューサ５０（図４および図５）と気道アダプタ１２０との組み立てを妨げないことが望ましい。トランスデューサ１５０には、‘８５８、‘８５９、‘４３６特許に説明されているような赤外線モニタリングトランスデューサの各構成要素がある。特に、赤外線源１５２および少なくとも１つの赤外線検出器１５４が、それぞれ、赤外線を１つの窓１２２に向ける為、また赤外線をもう一方の窓（図示せず）を通るよう向ける為に、配置されている。赤外線源１５２および赤外線検出器１５４の操作は、当該分野で既知の通り、適切なモニタリング装置のプロセッサ（例えば、図５に示すモニタ１００のプロセッサ１０２）により制御されまたモニタされ、ここで上記プロセッサによって、当該分野で既知の通り、赤外線源１５２と赤外線検出器１５４とは電気的に連絡する。
【００４５】
ここで図８を参照すると、ルミネセンス消光型センサの多機能の気道アダプタ１２０′および相補的なトランスデューサ１５０′の代替の実施の形態が示されている。気道アダプタ１２０′には、図２、３、５を参照し本願で上述されたニューモタコ２０などのニューモタコがある。気道アダプタ１２０′には更にルミネセンス消光部分１３０があり、ここで上記ルミネセンス消光部分１３０は呼吸ガス中の１種以上の物質（例えば、酸素）のモニタリングを‘９７８特許に記載されたような既知のルミネセンス消光技術を用いて容易にする。
【００４６】
気道アダプタ１２０′のルミネセンス消光部分１３０には、気道アダプタ１２０′の一次コンジット２０内部で支持膜１３４に保持されているルミネセンス可能材料１３２の量が含まれる。ルミネセンス可能材料１３２のルミネセンスは、ルミネセンス可能材料１３２が晒される混合気体（例えば個人の呼吸）中の分析された気体（例えば、酸素、一酸化二窒素など）や蒸発した物質（例えば１種以上の麻酔薬）の量を示す程度まで消光される。気道アダプタ１２０′には更に窓１２２′があり、上記窓１２２′を介してルミネセンス可能材料１３２の少なくとも一部が励起されルミネセンス状態となり、またルミネセンス可能材料１３２から放出された光または他の電磁放射線が上記窓１２２′を介して検出される。ルミネセンス可能材料１３２および支持膜１３４の例、並びに気道アダプタ１２０′の窓１２２′に相対的なルミネセンス可能材料１３２および支持膜１３４の気道アダプタ１２０′内での位置決め、および窓１２２′が形成される材料の例は、‘９７８特許に更に十分に説明されている。
【００４７】
トランスデューサ１５０′には、１つ以上の波長の電磁放射線の源１６２が少なくとも１つあり、上記源１６２はルミネセンス可能材料１３２をルミネセンス状態へと励起し、またルミネセンス可能材料１３２により放射された電磁放射線を検出する検出器１６４もある。源１６２および検出器１６４は、トランスデューサ１５０′および気道アダプタ１２０′が相互に組み立てられる際に源１６２と検出器１６４との両方が気道アダプタ１２０′の窓１２２′と気道アダプタ１２０′内部のルミネセンス可能材料１３２とに向けられるよう、トランスデューサ１５０′のハウジング１５５′内に配置され方向付けられる。源１６２と、検出器１６４と、トランスデューサ１５０′の他の要素の詳細は、適切なモニタリング装置のプロセッサ（例えば、図５に示すモニタ１００のプロセッサ１０２）による各要素の操作の制御とモニタリング、および検出器１６４から上記のようなプロセッサへの信号の伝達も含め、‘９７８特許に更に十分に説明されている。
【００４８】
気道アダプタ１２０′には更に密封要素１２６があり、上記密封要素１２６は、トランスデューサ１５０′の相補的な要素や部分１５６と共に、気道アダプタ１２０′およびトランスデューサ１５０′の組み立て時に、気道アダプタ１２０′およびトランスデューサ１５０′の適切な要素、例えば、気道アダプタ１２０′の窓１２２′およびトランスデューサ１５０′の源１６２と検出器１６４が確実に互いに十分一直線になるよう、構成されている。トランスデューサ１５０′が気道アダプタ１２０′に適切に配置された場合、トランスデューサ１５０′は携帯用圧力トランスデューサ５０（図４および図５）とトランスデューサそれぞれの気道アダプタ１２０′のルミネセンス消光部分１３０との組み立てや分解を妨げないことが望ましい。
【００４９】
図７および図８にそれぞれ示したトランスデューサ１５０および１５０′の材料検出機能に加え、トランスデューサ１５０および１５０′には、本発明の携帯用圧力トランスデューサの特徴（例えば、図４および図５に図示する携帯用圧力トランスデューサ５０）のある圧力検出部が備えられていてもよい。
【００５０】
本発明のニューモタコ（例えば、図５に示すニューモタコ２０）および相補的な携帯用圧力トランスデューサ（例えば、図５に示す携帯用圧力トランスデューサ５０）を用いて得られた圧力測定値に対応する信号が圧力モニタのプロセッサ（例えば、図５に示す圧力モニタ１００プロセッサ１０２）へと伝達されると、血流量や血液ガスの測定に加えて、様々な流量と体積と呼吸力学パラメータや他の呼吸パラメータの計算に、既知の技術およびアルゴリズムも利用されてよい。
【００５１】
前述の説明には多くの詳細があるが、上記詳細は本発明の範囲を制限するものと解釈されるべきではなく、単に幾つかの代表的な実施の形態の説明をもたらすものとして解釈されるべきである。同様に、本発明の精神と範囲を逸脱しない本発明の他の実施の形態が考案されるであろう。別々の実施の形態の特徴が組み合わせて利用されてもよい。本発明の範囲は、従って、前述の説明によってではなく、添付の請求項およびその法的な同等物によってのみ示され限定される。本願に開示された本発明に対する追加と削除と変更の全てが、請求項の意図および範囲内にあり、請求項により含まれる。
【図面の簡単な説明】
【００５２】
図は本発明の代表的な実施の形態の様々な態様を示す。
【図１】個人の気道と連絡し、操作可能に連結された本発明のニューモタコおよび携帯用圧力トランスデューサを持つ呼吸コンジットの略図。
【図２】本発明の教示を組み込んだ気道アダプタの形のニューモタコの代表的な実施の形態の断面図。
【図３】図２に示すニューモタコの変形物の断面図。
【図４】図２に示すニューモタコと組み合わされるよう構成された本発明に従う携帯用圧力トランスデューサの表的な実施の形態の断面図。
【図５】図４の携帯用圧力トランスデューサと組み合わされた図２のニューモタコの側断面組み立て図。
【図５Ａ】本発明に従うニューモタコおよび相補的な携帯用圧力トランスデューサの他の実施の形態の側断面組み立て図。
【図６】本発明に従う携帯用圧力トランスデューサおよび相補的な気道アダプタ型ニューモタコの他の代表的な実施の形態の側断面組み立て図。
【図７】圧力検出要素と赤外線検出要素とを有する多機能の気道アダプタ、および本発明の教示を組み込んだ相補的な赤外線検出型トランスデューサの代表的な実施の形態の透視組み立て図。
【図８】圧力検出要素とルミネセンス消光型検出要素とを有する本発明に従う多機能の気道アダプタ、およびルミネセンス消光型センサの相補的に構成されたトランスデューサの他の代表的な実施の形態の透視組み立て図。
【国際公開パンフレット】
2004532077.tif 000003
2004532077.tif 000004
2004532077.tif 000005
2004532077.tif 000006
2004532077.tif 000007
2004532077.tif 000008
2004532077.tif 000009
2004532077.tif 000010
2004532077.tif 000011
2004532077.tif 000012
2004532077.tif 000013
2004532077.tif 000014
2004532077.tif 000015
2004532077.tif 000016
2004532077.tif 000017
2004532077.tif 000018
2004532077.tif 000019
2004532077.tif 000020
2004532077.tif 000021
2004532077.tif 000022
2004532077.tif 000023
2004532077.tif 000024
2004532077.tif 000025
2004532077.tif 000026
2004532077.tif 000027
2004532077.tif 000028
2004532077.tif 000029
2004532077.tif 000030
2004532077.tif 000031
2004532077.tif 000032
2004532077.tif 000033
【国際公開パンフレット（コレクトバージョン）】
2004532077.tif 000034
【手続補正書】
【提出日】平成15年2月28日(2003.2.28)
【手続補正１】
【補正対象書類名】特許請求の範囲
【補正対象項目名】全文
【補正方法】変更
【補正の内容】
【特許請求の範囲】
【請求項１】
気道アダプタであって、
呼吸コンジットのそれぞれの部分に連結するよう構成された第１の端および第２の端と、
前記第１の端と第２の端との間のニューモタコとを備え、上記ニューモタコは、
前記呼吸コンジットの通路に沿って配置された一次コンジットと、
前記一次コンジットを通るガスの流量を部分的に遮るよう配置された障害物と、
前記障害物の少なくとも一部を間において配置された少なくとも２つの圧力ポートとを有し、前記少なくとも２つの圧力ポートは、携帯用圧力トランスデューサの対応する特徴を取り外し可能に受けるよう構成されており、
更に、前記少なくとも２つの圧力ポートの開口の全体に渡る密封要素とを有することを特徴とする気道アダプタ。
【請求項２】
前記密封要素が前記携帯用圧力トランスデューサの突き刺し部材の外面を受けるよう且つ上記外面に対して密封するよう構成されている請求項１の気道アダプタ。
【請求項３】
前記密封要素が前記密封要素からの前記突き刺し部材の除去時に実質的に再密封するよう更に構成されている請求項２の気道アダプタ。
【請求項４】
前記密封要素の各々が柔らかい弾力のあるエラストマ材料からなる請求項１の気道アダプタ。
【請求項５】
前記柔らかい弾力のあるエラストマ材料がラテックスとシリコーンのうち少なくとも１種からなる請求項４の気道アダプタ。
【請求項６】
気道アダプタであって、
呼吸コンジットのそれぞれの部分に連結するよう構成された第１の端および第２の端と、
前記第１の端と第２の端との間のニューモタコとを備え、上記ニューモタコは、
前記呼吸コンジットの通路に沿って配置された一次コンジットと、
前記一次コンジットを通るガスの流量を部分的に遮るよう配置された障害物と、
前記障害物の少なくとも一部を間において配置された少なくとも２つの圧力ポートとを有し、前記少なくとも２つの圧力ポートは、中空の突き刺し部材を有し、そして携帯用圧力トランスデューサの対応する特徴を取り外し可能に受けるよう構成されていることを特徴とする気道アダプタ。
【請求項７】
前記少なくとも２つの圧力ポートの各圧力ポートが前記携帯用圧力トランスデューサの前記対応する特徴と結合するように噛み合うべく構成される請求項１または６の気道アダプタ。
【請求項８】
気道アダプタであって、
呼吸コンジットのそれぞれの部分に連結するよう構成された第１の端および第２の端と、
前記第１の端と第２の端との間のニューモタコと、上記ニューモタコは、
前記呼吸コンジットの通路に沿って配置された一次コンジットと、
前記一次コンジットを通るガスの流量を部分的に遮るよう配置された障害物と、
前記障害物の少なくとも一部を間において配置された少なくとも２つの圧力ポートと、ここで前記少なくとも２つの圧力ポートは、携帯用圧力トランスデューサの対応する特徴を取り外し可能に受けるよう構成されており、
更に、少なくとも１つの材料検出素子とを有することを特徴とする気道アダプタ。
【請求項９】
前記少なくとも１つの材料検出素子が赤外線型検出素子からなる請求項８の気道アダプタ。
【請求項１０】
前記赤外線型検出素子が前記一次コンジットの両側に配置された一対の窓を有する請求項９の気道アダプタ。
【請求項１１】
前記少なくとも１つの材料検出素子がルミネセンス消光型検出素子からなる請求項８の気道アダプタ。
【請求項１２】
前記少なくとも１つの材料検出素子がルミネセンス消光型検出素子からなる請求項９の気道アダプタ。
【請求項１３】
前記ルミネセンス消光型検出が少なくとも１つの窓および前記少なくとも１つの窓を通じ晒されるルミネセンス可能材料を有する請求項１２の気道アダプタ。
【請求項１４】
請求項９の気道アダプタであって、
相補的に構成されたトランスデューサと気道アダプタとの連結時に、上記トランスデューサを相対的に確実に適切な向きにする為の密封要素を更に有する気道アダプタ。
【請求項１５】
圧力検出システムのトランスデューサであって、
呼吸コンジット上に保持されるよう構成されたハウジングと、
前記ハウジング内部に少なくとも部分的にあり、前記呼吸コンジットと連絡するよう構成された少なくとも１つのサンプルコンジットと、
前記ハウジング内部にあり、前記少なくとも１つのサンプルコンジットと流量連絡している少なくとも１つの圧力センサとを有することを特徴とするトランスデューサ。
【請求項１６】
上記少なくとも１つのサンプルコンジットが、上記呼吸コンジットに沿って配置された気道アダプタの対応する特徴に取り外し可能に連結されるよう構成されている少なくとも２つのサンプルコンジットを有する請求項１５のトランスデューサ。
【請求項１７】
前記少なくとも１つの圧力センサが前記少なくとも２つのサンプルコンジットの各々と連絡する請求項１６のトランスデューサ。
【請求項１８】
前記少なくとも１つの圧力センサが差圧センサからなる請求項１７のトランスデューサ。
【請求項１９】
前記少なくとも２つのサンプルコンジットの各々が、前記気道アダプタの対応する特徴を突き刺す突き刺し部材を有する請求項１６のトランスデューサ。
【請求項２０】
前記少なくとも２つのサンプルコンジットの各々が、前記気道アダプタの対応する特徴に結合するように噛み合うべく構成された連結端を有する請求項１６のトランスデューサ。
【請求項２１】
前記少なくとも２つのサンプルコンジットの各々が、前記気道アダプタの対応する特徴により突き刺され前記特徴を密封するよう構成された連結端を有する請求項１６のトランスデューサ。
【請求項２２】
前記ハウジングの外部の環境と連絡しているゲージ圧力センサを更に有する請求項１５のトランスデューサ。
【請求項２３】
前記基線圧力センサが差圧センサからなる請求項２２のトランスデューサ。
【請求項２４】
呼吸圧力検出システムであり、
呼吸コンジットに沿って配置されるよう構成された請求項１乃至１４のいずれかの気道アダプタと、
前記ニューモタコと取り外し可能に連結するよう構成された請求項１５乃至２３のいずれかの圧力トランスデューサとを有するシステム。
【請求項２５】
少なくとも個人の呼吸の圧力をモニタする方法において、
上記個人の気道と連絡する為に構成された呼吸コンジットに沿ったニューモタコを有する気道アダプタを配置する工程と、
圧力トランスデューサを少なくとも前記ニューモタコと実質的に直接組み立てる工程と、上記組み立てる工程が、前記圧力トランスデューサの前記サンプルコンジットの連結端により前記ニューモタコの圧力ポートに関連する密封要素に穴を開ける工程を有することを特徴とする方法。
【請求項２６】
前記組み立てる工程が、前記圧力トランスデューサのサンプルコンジットの連結端と前記ニューモタコの対応する圧力ポートとを並べその間の連絡を一時的に確立する工程を有する請求項２５の方法。
【請求項２７】
前記一時的に確立する工程が、前記対応する圧力ポートに関連する密封要素を通じ前記連結端を導入する工程を有する請求項２６の方法。
【請求項２８】
前記一時的に確立する工程が、前記連結端と前記対応する圧力ポートとを結合するように噛み合わせる工程を有する請求項２６の方法。
【請求項２９】
前記一時的に確立する工程が、およそ２００００Ｐａ（１５０ｍｍＨｇ）までの圧力に耐える連絡を確立する工程を有する請求項２６の方法。
【請求項３０】
請求項２５の方法であって、
呼吸サンプルの圧力を決定する為に上記呼吸サンプルを評価する工程を更に有する方法。
【請求項３１】
前記評価する工程が圧力差を評価する工程を有する請求項３０の方法。
【請求項３２】
請求項３０の方法であって、
基線圧力を確立する工程を更に有する方法。
【請求項３３】
請求項３０の方法であって、
前記圧力を示す信号を前記圧力トランスデューサからモニタへと送信する工程を更に有する方法。
【請求項３４】
請求項３３の方法であって、
呼吸圧力パラメータと、呼吸流量パラメータと、呼吸気量パラメータと、血液ガスパラメータと、血流量パラメータのうち、少なくとも１つを計算する工程を更に有する方法。
【請求項３５】
請求項２５の方法であって、
前記圧力トランスデューサを前記ニューモタコから取り外す工程を更に有する方法。
【請求項３６】
請求項２５の方法であって、
前記圧力トランスデューサを前記ニューモタコから取り外す工程を更に有する方法。
【手続補正書】
【提出日】平成15年6月27日(2003.6.27)
【手続補正１】
【補正対象書類名】特許請求の範囲
【補正対象項目名】全文
【補正方法】変更
【補正の内容】
【特許請求の範囲】
【請求項１】
気道アダプタであって、
呼吸コンジットのそれぞれの部分に連結するよう構成された第１の端および第２の端と、
前記第１の端と第２の端との間のニューモタコとを備え、上記ニューモタコは、
前記呼吸コンジットの通路に沿って配置された一次コンジットと、
前記一次コンジットを通るガスの流量を部分的に遮るよう配置された障害物と、
前記障害物の少なくとも一部を間において配置された少なくとも２つの圧力ポートとを有し、前記少なくとも２つの圧力ポートは、携帯用圧力トランスデューサの対応する特徴を取り外し可能に受けるよう構成されており、
更に、前記少なくとも２つの圧力ポートの開口の全体に渡る密封要素とを有することを特徴とする気道アダプタ。
【請求項２】
前記密封要素が前記携帯用圧力トランスデューサの突き刺し部材の外面を受けるよう且つ上記外面に対して密封するよう構成されている請求項１の気道アダプタ。
【請求項３】
前記密封要素が前記密封要素からの前記突き刺し部材の除去時に実質的に再密封するよう更に構成されている請求項２の気道アダプタ。
【請求項４】
前記密封要素の各々が柔らかい弾力のあるエラストマ材料からなる請求項１の気道アダプタ。
【請求項５】
前記柔らかい弾力のあるエラストマ材料がラテックスとシリコーンのうち少なくとも１種からなる請求項４の気道アダプタ。
【請求項６】
気道アダプタであって、
呼吸コンジットのそれぞれの部分に連結するよう構成された第１の端および第２の端と、
前記第１の端と第２の端との間のニューモタコとを備え、上記ニューモタコは、
前記呼吸コンジットの通路に沿って配置された一次コンジットと、
前記一次コンジットを通るガスの流量を部分的に遮るよう配置された障害物と、
前記障害物の少なくとも一部を間において配置された少なくとも２つの圧力ポートとを有し、前記少なくとも２つの圧力ポートは、中空の突き刺し部材を有し、そして携帯用圧力トランスデューサの対応する特徴を取り外し可能に受けるよう構成されていることを特徴とする気道アダプタ。
【請求項７】
前記少なくとも２つの圧力ポートの各圧力ポートが前記携帯用圧力トランスデューサの前記対応する特徴と結合するように噛み合うべく構成される請求項１または６の気道アダプタ。
【請求項８】
気道アダプタであって、
呼吸コンジットのそれぞれの部分に連結するよう構成された第１の端および第２の端と、
前記第１の端と第２の端との間のニューモタコと、上記ニューモタコは、
前記呼吸コンジットの通路に沿って配置された一次コンジットと、
前記一次コンジットを通るガスの流量を部分的に遮るよう配置された障害物と、
前記障害物の少なくとも一部を間において配置された少なくとも２つの圧力ポートと、ここで前記少なくとも２つの圧力ポートは、携帯用圧力トランスデューサの対応する特徴を取り外し可能に受けるよう構成されており、
更に、少なくとも１つの材料検出素子とを有することを特徴とする気道アダプタ。
【請求項９】
前記少なくとも１つの材料検出素子が赤外線型検出素子からなる請求項８の気道アダプタ。
【請求項１０】
前記赤外線型検出素子が前記一次コンジットの両側に配置された一対の窓を有する請求項９の気道アダプタ。
【請求項１１】
前記少なくとも１つの材料検出素子がルミネセンス消光型検出素子からなる請求項８の気道アダプタ。
【請求項１２】
前記ルミネセンス消光型検出素子が少なくとも１つの窓および前記少なくとも１つの窓を通じ晒されるルミネセンス可能材料を有する請求項１１の気道アダプタ。
【請求項１３】
請求項８の気道アダプタであって、
相補的に構成されたトランスデューサと気道アダプタとの連結時に、上記トランスデューサを相対的に確実に適切な向きにする為の密封要素を更に有する気道アダプタ。
【請求項１４】
請求項８の気道アダプタであって、
前記少なくとも２つの圧力ポートのうち少なくとも１つの開口の全体に渡る密封要素と、
前記少なくとも２つの圧力ポートのうち少なくとも１つの端の中空の突き刺し部材のうち少なくとも一方を更に有する気道アダプタ。
【請求項１５】
圧力検出システムのトランスデューサであって、
呼吸コンジット上に保持されるよう構成されたハウジングと、
前記ハウジング内部に少なくとも部分的にあり、前記呼吸コンジットに沿って配置された気道アダプタの対応する特徴に連結するようまたそれにより前記呼吸コンジットと連絡するよう構成された突き刺し部材を有する少なくとも１つのサンプルコンジットと、
前記ハウジング内部にあり、前記少なくとも１つのサンプルコンジットと流量連絡して
いる少なくとも１つの圧力センサとを有することを特徴とするトランスデューサ。
【請求項１６】
上記少なくとも１つのサンプルコンジットが、上記呼吸コンジットに沿って配置された気道アダプタの対応する特徴に取り外し可能に連結されるよう構成されている少なくとも２つのサンプルコンジットを有する請求項１５のトランスデューサ。
【請求項１７】
前記少なくとも１つの圧力センサが前記少なくとも２つのサンプルコンジットの各々と連絡する請求項１６のトランスデューサ。
【請求項１８】
前記少なくとも１つの圧力センサが差圧センサからなる請求項１７のトランスデューサ。
【請求項１９】
前記少なくとも２つのサンプルコンジットの各々が、前記気道アダプタの対応する特徴を突き刺す突き刺し部材を有する請求項１６のトランスデューサ。
【請求項２０】
前記少なくとも２つのサンプルコンジットの各々が、前記気道アダプタの対応する特徴に結合するように噛み合うべく構成された連結端を有する請求項１６のトランスデューサ。
【請求項２１】
前記少なくとも２つのサンプルコンジットの各々が、前記気道アダプタの対応する特徴により突き刺され前記特徴を密封するよう構成された連結端を有する請求項１６のトランスデューサ。
【請求項２２】
前記ハウジングの外部の環境と連絡しているゲージ圧力センサを更に有する請求項１５のトランスデューサ。
【請求項２３】
前記基線圧力センサが差圧センサからなる請求項２２のトランスデューサ。
【請求項２４】
呼吸圧力検出システムであり、
呼吸コンジットに沿って配置されるよう構成された請求項１乃至１４のいずれかの気道アダプタと、
前記ニューモタコと取り外し可能に連結するよう構成された請求項１５乃至２３のいずれかの圧力トランスデューサとを有するシステム。
【請求項２５】
少なくとも個人の呼吸の圧力をモニタする方法において、
上記個人の気道と連絡する為に構成された呼吸コンジットに沿ったニューモタコを有する気道アダプタを配置する工程と、
圧力トランスデューサを少なくとも前記ニューモタコと実質的に直接組み立てる工程と、上記組み立てる工程が、前記圧力トランスデューサの前記サンプルコンジットの連結端により前記ニューモタコの圧力ポートに関連する密封要素に穴を開ける工程を有することを特徴とする方法。
【請求項２６】
前記組み立てる工程が、前記圧力トランスデューサのサンプルコンジットの連結端と前記ニューモタコの対応する圧力ポートとを並べその間の連絡を一時的に確立する工程を有する請求項２５の方法。
【請求項２７】
前記一時的に確立する工程が、前記対応する圧力ポートに関連する密封要素を通じ前記連結端を導入する工程を有する請求項２６の方法。
【請求項２８】
前記一時的に確立する工程が、前記連結端と前記対応する圧力ポートとを結合するように噛み合わせる工程を有する請求項２６の方法。
【請求項２９】
前記一時的に確立する工程が、およそ２００００Ｐａ（１５０ｍｍＨｇ）までの圧力に耐える連絡を確立する工程を有する請求項２６の方法。
【請求項３０】
請求項２５の方法であって、
呼吸サンプルの圧力を決定する為に上記呼吸サンプルを評価する工程を更に有する方法。
【請求項３１】
前記評価する工程が圧力差を評価する工程を有する請求項３０の方法。
【請求項３２】
請求項３０の方法であって、
基線圧力を確立する工程を更に有する方法。
【請求項３３】
請求項３０の方法であって、
前記圧力を示す信号を前記圧力トランスデューサからモニタへと送信する工程を更に有する方法。
【請求項３４】
請求項３３の方法であって、
呼吸圧力パラメータと、呼吸流量パラメータと、呼吸気量パラメータと、血液ガスパラメータと、血流量パラメータのうち、少なくとも１つを計算する工程を更に有する方法。
【請求項３５】
請求項２５の方法であって、
前記圧力トランスデューサを前記ニューモタコから取り外す工程を更に有する方法。
【請求項３６】
請求項２５の方法であって、
前記圧力トランスデューサを前記ニューモタコから取り外す工程を更に有する方法。
【手続補正書】
【提出日】平成15年7月7日(2003.7.7)
【手続補正１】
【補正対象書類名】特許請求の範囲
【補正対象項目名】全文
【補正方法】変更
【補正の内容】
【特許請求の範囲】
【請求項１】
気道アダプタであって、
呼吸コンジットのそれぞれの部分に連結するよう構成された第１の端および第２の端と、
前記第１の端と第２の端との間のニューモタコとを備え、上記ニューモタコは、
前記呼吸コンジットの通路に沿って配置された一次コンジットと、
前記一次コンジットを通るガスの流量を部分的に遮るよう配置された障害物と、
前記障害物の少なくとも一部を間において配置された少なくとも２つの圧力ポートとを有し、前記少なくとも２つの圧力ポートは、携帯用圧力トランスデューサの対応する特徴を取り外し可能に受けるよう構成されており、
更に、前記少なくとも２つの圧力ポートの開口の全体に渡る密封要素とを有することを特徴とする気道アダプタ。
【請求項２】
前記密封要素が前記携帯用圧力トランスデューサの突き刺し部材の外面を受けるよう且つ上記外面に対して密封するよう構成されている請求項１の気道アダプタ。
【請求項３】
前記密封要素が前記密封要素からの前記突き刺し部材の除去時に実質的に再密封するよう更に構成されている請求項２の気道アダプタ。
【請求項４】
前記密封要素の各々が柔らかい弾力のあるエラストマ材料からなる請求項１の気道アダプタ。
【請求項５】
前記柔らかい弾力のあるエラストマ材料がラテックスとシリコーンのうち少なくとも１種からなる請求項４の気道アダプタ。
【請求項６】
気道アダプタであって、
呼吸コンジットのそれぞれの部分に連結するよう構成された第１の端および第２の端と、
前記第１の端と第２の端との間のニューモタコとを備え、上記ニューモタコは、
前記呼吸コンジットの通路に沿って配置された一次コンジットと、
前記一次コンジットを通るガスの流量を部分的に遮るよう配置された障害物と、
前記障害物の少なくとも一部を間において配置された少なくとも２つの圧力ポートとを有し、前記少なくとも２つの圧力ポートは、中空の突き刺し部材を有し、そして携帯用圧力トランスデューサの対応する特徴を取り外し可能に受けるよう構成されていることを特徴とする気道アダプタ。
【請求項７】
前記少なくとも２つの圧力ポートの各圧力ポートが前記携帯用圧力トランスデューサの前記対応する特徴と結合するように噛み合うべく構成される請求項１または６の気道アダプタ。
【請求項８】
気道アダプタであって、
呼吸コンジットのそれぞれの部分に連結するよう構成された第１の端および第２の端と、
前記第１の端と第２の端との間のニューモタコと、上記ニューモタコは、
前記呼吸コンジットの通路に沿って配置された一次コンジットと、
前記一次コンジットを通るガスの流量を部分的に遮るよう配置された障害物と、
前記障害物の少なくとも一部を間において配置された少なくとも２つの圧力ポートと、ここで前記少なくとも２つの圧力ポートは、携帯用圧力トランスデューサの対応する特徴を取り外し可能に受けるよう構成されており、
更に、少なくとも１つの材料検出素子とを有することを特徴とする気道アダプタ。
【請求項９】
前記少なくとも１つの材料検出素子が赤外線型検出素子からなる請求項８の気道アダプタ。
【請求項１０】
前記赤外線型検出素子が前記一次コンジットの両側に配置された一対の窓を有する請求項９の気道アダプタ。
【請求項１１】
前記少なくとも１つの材料検出素子がルミネセンス消光型検出素子からなる請求項８の気道アダプタ。
【請求項１２】
前記ルミネセンス消光型検出素子が少なくとも１つの窓および前記少なくとも１つの窓を通じ晒されるルミネセンス可能材料を有する請求項１１の気道アダプタ。
【請求項１３】
請求項８の気道アダプタであって、
相補的に構成されたトランスデューサと気道アダプタとの連結時に、上記トランスデューサを相対的に確実に適切な向きにする為の密封要素を更に有する気道アダプタ。
【請求項１４】
請求項８の気道アダプタであって、
前記少なくとも２つの圧力ポートのうち少なくとも１つの開口の全体に渡る密封要素と、
前記少なくとも２つの圧力ポートのうち少なくとも１つの端の中空の突き刺し部材のうち少なくとも一方を更に有する気道アダプタ。
【請求項１５】
圧力検出システムのトランスデューサであって、
呼吸コンジット上に保持されるよう構成されたハウジングと、
前記ハウジング内部に少なくとも部分的にあり、前記呼吸コンジットに沿って配置された気道アダプタの対応する特徴に連結するようまたそれにより前記呼吸コンジットと連絡するよう構成された突き刺し部材を有する少なくとも１つのサンプルコンジットと、
前記ハウジング内部にあり、前記少なくとも１つのサンプルコンジットと流量連絡して
いる少なくとも１つの圧力センサとを有することを特徴とするトランスデューサ。
【請求項１６】
上記少なくとも１つのサンプルコンジットが、上記呼吸コンジットに沿って配置された気道アダプタの対応する特徴に取り外し可能に連結されるよう構成されている少なくとも２つのサンプルコンジットを有する請求項１５のトランスデューサ。
【請求項１７】
前記少なくとも１つの圧力センサが前記少なくとも２つのサンプルコンジットの各々と連絡する請求項１６のトランスデューサ。
【請求項１８】
前記少なくとも１つの圧力センサが差圧センサからなる請求項１７のトランスデューサ。
【請求項１９】
前記少なくとも２つのサンプルコンジットの各々が、前記気道アダプタの対応する特徴を突き刺す突き刺し部材を有する請求項１６のトランスデューサ。
【請求項２０】
前記少なくとも２つのサンプルコンジットの各々が、前記気道アダプタの対応する特徴に結合するように噛み合うべく構成された連結端を有する請求項１６のトランスデューサ。
【請求項２１】
圧力検出システムのトランスデューサであって、
呼吸コンジット上に保持されるよう構成されたハウジングと、
前記ハウジング内部に少なくとも部分的にあり、前記呼吸コンジットと連絡するよう気道アダプタの対応する特徴により突き刺され上記特徴を密封するよう構成された連結端を有する少なくとも１つのサンプルコンジットと、
前記ハウジング内部にあり、前記少なくとも１つのサンプルコンジットと流量連絡している少なくとも１つの圧力センサとを有することを特徴とするトランスデューサ。
【請求項２２】
圧力検出システムのトランスデューサであって、
呼吸コンジット上に保持されるよう構成されたハウジングと、
前記ハウジング内部に少なくとも部分的にあり、前記呼吸コンジットに沿って配置された気道アダプタの対応する特徴を突き刺すまたは上記特徴に突き刺されることにより前記呼吸コンジットと連絡するよう構成された少なくとも１つのサンプルコンジットと、
前記ハウジング内部にあり前記少なくとも１つのサンプルコンジットと流量連絡している少なくとも１つの圧力センサと、
前記ハウジングの外部の環境と連絡しているゲージ圧力センサとを有することを特徴とするトランスデューサ。
【請求項２３】
前記基線圧力センサがゲージ圧力センサからなる請求項２２のトランスデューサ。
【請求項２４】
呼吸圧力検出システムであり、
呼吸コンジットに沿って配置されるよう構成された請求項１乃至１４のいずれかの気道アダプタと、
前記ニューモタコと取り外し可能に連結するよう構成された請求項１５乃至２３のいずれかの圧力トランスデューサとを有するシステム。
【請求項２５】
少なくとも個人の呼吸の圧力をモニタする方法において、
上記個人の気道と連絡する為に構成された呼吸コンジットに沿ったニューモタコを有する気道アダプタを配置する工程と、
圧力トランスデューサを少なくとも前記ニューモタコと実質的に直接組み立てる工程と、上記組み立てる工程が、前記圧力トランスデューサの前記サンプルコンジットの連結端により前記ニューモタコの圧力ポートに関連する密封要素に穴を開ける工程を有することを特徴とする方法。
【請求項２６】
前記組み立てる工程が、前記圧力トランスデューサのサンプルコンジットの連結端と前記ニューモタコの対応する圧力ポートとを並べその間の連絡を一時的に確立する工程を有する請求項２５の方法。
【請求項２７】
前記一時的に確立する工程が、前記対応する圧力ポートに関連する密封要素を通じ前記連結端を導入する工程を有する請求項２６の方法。
【請求項２８】
前記一時的に確立する工程が、前記連結端と前記対応する圧力ポートとを結合するように噛み合わせる工程を有する請求項２６の方法。
【請求項２９】
前記一時的に確立する工程が、およそ２００００Ｐａ（１５０ｍｍＨｇ）までの圧力に耐える連絡を確立する工程を有する請求項２６の方法。
【請求項３０】
請求項２５の方法であって、
呼吸サンプルの圧力を決定する為に上記呼吸サンプルを評価する工程を更に有する方法。
【請求項３１】
前記評価する工程が圧力差を評価する工程を有する請求項３０の方法。
【請求項３２】
請求項３０の方法であって、
基線圧力を確立する工程を更に有する方法。
【請求項３３】
請求項３０の方法であって、
前記圧力を示す信号を前記圧力トランスデューサからモニタへと送信する工程を更に有する方法。
【請求項３４】
請求項３３の方法であって、
呼吸圧力パラメータと、呼吸流量パラメータと、呼吸気量パラメータと、血液ガスパラメータと、血流量パラメータのうち、少なくとも１つを計算する工程を更に有する方法。
【請求項３５】
請求項２５の方法であって、
前記圧力トランスデューサを前記ニューモタコから取り外す工程を更に有する方法。
【請求項３６】
請求項２５の方法であって、
前記圧力トランスデューサを前記ニューモタコから取り外す工程を更に有する方法。
【国際調査報告】
2004532077.tif 000035
2004532077.tif 000036